(57)【要約】      （修正有）【課題】ワイン、醤油、オイル、化粧品等の液体の酸化を防ぐために、空気に触れないようにした密封型の酸化防止液体抽出保管容器を提供すること。【解決手段】軽い力と漏れの無い押し出しができるシールパッキン８，９と突起を有し、スライドと固定ができる溝を設けて伸縮可能なプランジャー１と、柔軟なチューブ７を接続して内部に水路を有し、キャップ蓋か又は回転式で作動する弁蓋を設けたノズル１１と、内面がストレートなシリンジ１４Ａを作成する方法で、使用中にも空気に触れない構造で酸化を防止する液体抽出保管容器である。更にプランジャーの作動を押さえる封印を取り付けて内部溶液が空気に触れずに酸化を防ぐことができる。【選択図】図１
2016210500.tif 000002
【特許請求の範囲】
【請求項１】
内部に上昇する水路とその先端部にノズルを設け下部にはシール用パッキンを備えたプランジャーをシリンジ内に挿入して押し下げることで残留空気を抜き連続して抽出できる酸化を防止する容器において、プランジャーの外周下部には直径の１／５以上の距離をあけた二本以上のシール用パッキンを備え、二本のシール用パッキンの上下にシリンジ内面との隙間が０．１ｍｍ位になるような突起を周囲に４ケ所以上設け、プランジャー内側部品とプランジャー外側部品間で突起とスライド溝及び回転でロックできる溝でプランジャーを伸縮自在にし、底からノズルまでを柔軟なチューブで接続した水路を設け、ノズルにキャップ状の蓋又は回転作動弁蓋を備え、また押し出しパイプを使用して下に底部品と上にフランジ部品を設けたものか又はインジェクションブロー成形によって、内面をストレートに仕上げたシリンジからなる酸化防止液体抽出保管容器。
【請求項２】
前記容器のプランジャーの凹みとシリンジフランジに係累させてプランジャーの作動を止め固定させるための封印部品を設営できる酸化防止液体抽出保管容器。
【発明の詳細な説明】
【技術分野】
【０００１】  本発明は、ワイン、醤油、オイル、化粧品等の液体の酸化を防ぐために、空気に触れないようにした密封型の酸化防止液体抽出保管容器に関するものである。
【背景技術】
【０００２】  ワインの飲み残しや開栓後に保存してある醤油や油などはボトル内の空気でも酸化が進行し味の変化も大きい。また酸化が進むと体にも良くない。しかし飲み残しや使いかけの酸化の進行を防ぎ安心して入れておける容器は今まで無かった。
【先行技術文献】
【特許文献１】
【０００３】
【特許文献１】不明
【非特許文献】
【０００４】
【非特許文献１】なし
【発明の概要】
【発明が解決しようとする課題】
【０００３】  解決しようとする問題点は、液体を上側からシリンジ内に入れてプランジャーを挿入し押すことで残留空気を抜いてから連続して押すことでプランジャー内を通って上部ノズルから抽出する容器の密封性とスムーズな作動を確保すること。液体が満たされた状態ではプランジャーもその量に比例して飛び出して収納性が悪くなること。及びプランジャー内の長い距離をノズルまでどのように搬送するかということ。またノズル部での空気との接触をどのように遮断するかということ。更に大容量のストレートな容器を抜け勾配の無い状態で製造するかということである。
またこの容器を液体の入った流通容器として使用させることである。
【発明が解決するための手段】
【０００４】  本発明は、先に出願してある密封型しょうゆ差し［特願２０１５−２８０２７］の多用途化及びそれより容量の多い１リットル位までの容器に関するものである。
【０００４】  本発明は、上記課題を解決するため、以下の手段を採用する。
プランジャーのシール面は外周下部に直径の１／５以上の距離をあけた二本以上のシール用パッキンを備える。下側のパッキンは液体とのシールを目的にし、上側のパッキンは空気の遮断を目的にし、直径の少なくとも１／５以上離すことでプランジャーの傾きを軽減し、初期漏れの原因を減らすことができる。またパッキンの戻りや遊びをお互いに打ち消すことができる。パッキンの当たりは０．２ｍｍ以下にしてシリンジ内面へのシール性を確保すると共に軽い力で作動するようにする。プランジャーの傾きを物理的に少なくするために更にパッキン上下にシリンジとの隙間を０．１ｍｍにするように突起を全周に４ケ所以上設ける。
【０００６】  プランジャーの長さを調節し収納性と安定性を向上させるためにプランジャー内側部品とプランジャー外側部品間で突起とスライド溝及び回転でロックできる溝を備えたもので構成し伸縮可能にする。
【０００７】  またプランジャーは長さがある上に内部が狭いので成形によって水路を形成することが困難になるので、途中をスパイラル状にする等の柔軟なチューブを用いて接続することでノズルまで簡単に必要最小限の太さで設定できる。
【０００８】  またシリンジはストレートでなければ安定した作動が得られないので、ストレートな押し出しパイプを使用してその下側に底部品を、上側にはフランジ部材を接着させる方法で作成する。又はインジェクションブローという成形方法で作成する。インジェクションブローというのはインジェクション成形したものを暖かい内に連続してブローする方法で、抜け勾配の無い容器を製造できる。この時に容器の底のほうに向かってブロー時の伸延率分を厚くしておく。
【０００９】  またノズル部分での外部空気との酸化を防止するために、ノズルにキャップ状蓋を用意する。又は回転で作動する弁蓋を設ける。尚、ノズルは水平より４５度から９０度下方向に向ける。
【００１０】  またこの容器に液体を入れた流通容器として使用するためにプランジャーに凹みを設け、その凹みとシリンジ上部のフランジ部を挟み込む封印部品を取り付ける。商品には封印部品の上にさらに熱収縮カバーをかけて外部から操作できないようにする。
【発明の効果】
【００１１】  本発明の酸化を防ぐ液体用抽出容器は、空気抜き構造をプランジャー内に設けることにより、液体を簡単に入れることができ空気抜きも連続して簡単にできる。スムーズに軽い力で作動させることができ漏れも無い。一度開栓した液体を酸素を遮断した状態で保管でき、おいしさや鮮度を保つことができる。使用するときは卓上でプランジャーを押すことでグラスや小分け容器に抽出できる。またプランジャーを伸縮できることでコンパクトになり冷蔵庫のドアポケットへの収納も可能である。
【００１２】  更に開栓した液体食品の保管だけでなく、封印を付けることで最初から該当液体を入れた流通容器としても展開が可能である。
【図面の簡単な説明】
【００１３】
【図１】  本発明の実施方法を示した一例に係る断面図で左側は使用前の空の状態、右は液体が入っている状態を示す。伸縮は無い状態を示す。
【図２】  プランジャーの伸縮の実施方法を示す斜視図と断面図。左はプランジャー外側部品とプランジャー内側部品の関係を示す斜視図、中は長い状態の断面図、右は縮んだ状態を示す断面図。
【図３】  本実施形態に係るパイプを使用したシリンジの状態を示す断面図。
【図４】  本実施形態に係るインジェクションブロー成形によるシリンジを示す断面図で左はインジェクション時、右はブローされた完成状態を示す。
【図５】  プランジャーのシールパッキンと突起の隙間を示す部分断面図と斜視図。
【図６】  ノズルのキャップ蓋の実施例を示す部分断面図。
【図７】  ノズルの回転作動弁蓋にした別の実施例を示す部分断面図。左が蓋のされている状態。右が蓋を開けた状態を示す。
【図８】  封印の実施例を示す部分断面図。右は封印の一部を断面化した斜視図。
【発明を実施するための形態】
【００１４】  外周下部に直径（Ｂ）の１／５以上の距離（Ａ）を空けた二本のシール用パッキン８，９を備え、プランジャー外側部品２とプランジャー内側部品３に突起４とスライド溝５及び固定のための溝６を設けて伸縮自在にし、内部に底とノズル間にスパイラル状にする等の柔軟で伸縮に追従するチューブ７を接続した水路とその先端部にノズル１１を設けたプランジャー１と、ストレートな押し出しパイプ１４Ａの下側に底部品１５を、上側にはフランジ部品１６を接着させる方法で作成するか又はインジェクションブローという成形方法で内面をストレートに作成したシリンジ１４Ｃから成り、ノズル１１はキャップ１２をするか回転式で作動する弁蓋１３を設ける。
【００１５】プランジャー１の作動を固定する封印部品１７をプランジャー凹み１８とシリンジのフランジ１６間に係累させる。
【実施例１】
【００１６】  図１は本発明の一実施例で１４Ａはシリンジパイプ、１５は底部品、１６はフランジ部品で一体化させたものである。プランジャー内の上昇のための柔軟なチューブ７を接続した一実施例。及びプランジャー１のシールパッキン８，９の設置位置関係を示す。【００１７】  図２はプランジャー内側部品３とプランジャー外側部品２の、突起部４と溝５，６の係合関係を示した一実施例を示す。【００１８】  図５はプランジャーのシールパッキン８，９と、プランジャー１とシリンジ１４Ｃとの隙間Ｃと突起部１０の状態を示す。Ｃは０．１ｍｍを示す。
【符号の説明】
【００１９】１  プランジャー、２  プランジャー外側部品、３  プランジャー内側部品、
４  プランジャー突起部  ５  スライド溝、６  固定溝、７  上昇水路チューブ、
８  上側シールパッキン、９  下側シールパッキン、１０  突起部、１１  ノズル、
１２  ノズルキャップ蓋、１３  ノズル回転式作動弁蓋、１４  シリンジ、
１５  シリンジ底部品、１６  シリンジフランジ部品、１７  封印部品、
１８  プランジャー凹み、１９  液体
【図１】
2016210500.tif 000003
【図２】
2016210500.tif 000004
【図３】
2016210500.tif 000005
【図４】
2016210500.tif 000006
【図５】
2016210500.tif 000007
【図６】
2016210500.tif 000008
【図７】
2016210500.tif 000009
【図８】
2016210500.tif 000010